(57)【要約】【課題】ベースに加えられる付勢力を抑制し、軽量化を図った卓上切断機の提供。【解決手段】ベースと、ベース上に回動軸部を中心として回動可能に担持されたターンテーブル３と、ターンテーブル３上に設けられ切断刃を支持すると共にターンテーブル３に対して近接離間可能な切断部と、ターンテーブル３に設けられベースに対してターンテーブル３を任意の回動角度で固定可能なターンテーブル固定装置６と、を有し、ターンテーブル固定装置６は、第一位置と第二位置との間で移動可能なレバー６Ａと、レバー６Ａの第一位置と第二位置との間の移動に応じて、ベース３に対して近接・離間する進退部６５と、レバー６Ａの移動量を増幅して進退部に伝達する増幅部と、進退部６５のベース側に進退部６５と当接して配置されベースに対して当接する当接部６７及びスプリング６６と、を備えて構成されている卓上切断機を提供する。【選択図】図３
2010036270.tif 000002
【特許請求の範囲】
【請求項１】
加工部材を支持するベースと、
該ベース上に回動可能に担持されたターンテーブルと、
該ターンテーブル上に設けられ該ターンテーブルの上方で切断刃を支持すると共に該ターンテーブルに対して近接離間可能な切断部と、
該ターンテーブルに設けられ、該ベースに対して該ターンテーブルを任意の回動角度で固定可能なターンテーブル固定装置と、を有し、
該ターンテーブル固定装置は、第一位置と第二位置との間で移動可能な入力部と、該入力部の該第一位置と該第二位置との間の移動に応じて、該ベースに対して近接・離間する進退部と、該入力部の移動量を増幅して該進退部に伝達する増幅部と、該進退部の該ベース側に該進退部と当接して配置され該ベースに対して当接する付勢部と、を備えて構成されていることを特徴とする卓上切断機。
【請求項２】
該付勢部は、該進退部と当接する弾性体と該弾性体の反進退部側に位置し該ベースに当接可能な当接部と、を備えて構成されていることを特徴とする請求項１に記載の卓上切断機。
【請求項３】
該ベースは該当接部が当接する被当接面を有し、該被当接面と該当設部とのいずれか一方には凸形状が形成され、該被当接面と該当設部とのいずれ片方には該凸形状と係合する凹形状が形成されていることを特徴とする請求項２に記載の卓上切断機。
【請求項４】
該ターンテーブル固定装置は、該進退部が該ベース部に対して近接した状態の位置で該入力部を固定する固定機構を備えることを特徴とする請求項１乃至請求項３のいずれか一に記載の卓上切断機。
【請求項５】
該増幅部は、該進退部と接続される箇所に該ターンテーブルの直径方向に延びる軸を回転軸として回転するネジ棒を有し、
該進退部は該ネジ棒と螺合するネジ穴を有し、該ネジ棒の回転に応じて螺進退し該ベースに対して近接・離間することを特徴とする請求項１乃至請求項４のいずれか一に記載の卓上切断機。
【請求項６】
該ターンテーブル固定部は、該ターンテーブルの直径方向を案内方向とする案内部を有し、該進退部と該付勢部とは、該案内部に案内されて該ベース部に対して近接・離間することを特徴とする請求項１乃至請求項５のいずれか一に記載の卓上切断機。
【請求項７】
該増幅部は、該入力部の動作に応じて回動する第一ギヤを含む複数のギヤの組合せから成るギヤ機構から構成されていることを特徴とする請求項１乃至請求項６のいずれか一に記載の卓上切断機。
【請求項８】
該ターンテーブル固定部は、該ギヤ機構を収容するハウジング部を有し、
該第一ギヤは該第一ギヤの回転軸方向に延びる第一軸部に一体回動可能に固定され、
該入力部は、該第一軸部に一体回動かつ該第一軸部の軸方向に移動可能に接続され、
該ハウジング部には、該進退部が該ベース部に対して近接した状態の位置で該入力部が該第一軸部の軸方向に移動した時に該入力部の少なくとも一部が挿入される溝部が形成されていることを特徴とする請求項７に記載の卓上切断機。
【発明の詳細な説明】
【技術分野】
【０００１】
本発明は卓上切断機に関し、特に切断角度（マイター角度）を規定可能な卓上切断機に関する。
【背景技術】
【０００２】
木材等の加工部材を任意の切断角度で切断するために、木材が載置されるベースと、ベース上で、切断刃を回転可能に保持するターンテーブルとを備えた卓上切断機は公知である。この卓上切断機においては、特許文献１に示されるように、任意の切断角度に規定するために、ターンテーブルの前方に設けられてターンテーブルに対して螺進退するハンドルを回転させてハンドルの先端部分をベースに突き当てることで、ベースに対してターンテーブルを固定している。
【特許文献１】特開２００７−２３７５４６号公報
【発明の開示】
【発明が解決しようとする課題】
【０００３】
ハンドルはネジの螺合に基づく螺進退によりベースに突き当たるため、ベースにハンドルが当接した際にベースに加えられる付勢力は大きくなる傾向にある。よってハンドルを締めすぎた場合には、過大な付勢力がベースに付加される場合があった。またハンドルによる付勢力が過大になるおそれがあるため、ベースのハンドルが当接する部分にリブを設けたり、肉厚化する等の剛性が高い構造が要求され、剛性の増加に伴う重量増を招いていた。
【０００４】
そこで本発明は、ベースに加えられる付勢力を抑制し、かつ軽量化を図った卓上切断機を提供することを目的とする。
【課題を解決するための手段】
【０００５】
上記課題を解決するために本発明は、加工部材を支持するベースと、該ベース上に回動可能に担持されたターンテーブルと、該ターンテーブル上に設けられ該ターンテーブルの上方で切断刃を支持すると共に該ターンテーブルに対して近接離間可能な切断部と、該ターンテーブルに設けられ、該ベースに対して該ターンテーブルを任意の回動角度で固定可能なターンテーブル固定装置と、を有し、該ターンテーブル固定装置は、第一位置と第二位置との間で移動可能な入力部と、該入力部の該第一位置と該第二位置との間の移動に応じて、該ベースに対して近接・離間する進退部と、該入力部の移動量を増幅して該進退部に伝達する増幅部と、該進退部の該ベース側に該進退部と当接して配置され該ベースに対して当接する付勢部と、を備えて構成されている卓上切断機を提供する。
【０００６】
この様な構成によると、入力部の動作範囲が第一位置と第二位置との間に限定された状態で、ターンテーブルをベースに固定することができる。よってベースに付勢部を当接させる際に、過度の付勢力が加えられることが抑制され、ベースの剛性を高めずとも、ターンテーブルをベースに固定することができる。ベースの剛性を高める必要がないため、リブ等の重量増加を招く構造を採る必要が無く、卓上切断機を軽量化することができる。
【０００７】
上記構成の卓上切断機において、該付勢部は、該進退部と当接する弾性体と該弾性体の反進退部側に位置し該ベースに当接可能な当接部と、を備えて構成されていることが好ましい。
【０００８】
この様な構成によると、弾性体の付勢力により、ベースに対して当接部を付勢することができるため、最適値の弾性定数を備えた弾性体を用いることにより、最適な付勢力で当接部によりベースに対して付勢力を加えることができる。
【０００９】
また該ベースは該当接部が当接する被当接面を有し、該被当接面と該当設部とのいずれか一方には凸形状が形成され、該被当接面と該当設部とのいずれ片方には該凸形状と係合する凹形状が形成されていることが好ましい。
【００１０】
この様な構成によると、過度の付勢力を加えずとも、ベース部に対するターンテーブルの回転を抑制することができる。またベースに対するターンテーブルの角度を例えば３０°等の所定の角度となったときに、凹凸形状を互いに嵌合させることにより、正確にターンテーブルをベースに対して任意の角度に設定することができる。
【００１１】
また該ターンテーブル固定装置は、該進退部が該ベース部に対して近接した状態の位置で該入力部を固定する固定機構を備えることが好ましい。
【００１２】
この様な構成によると、ベースに対して付勢部が付勢してベースに対してターンテーブルが固定されている状態で、入力部が動いて固定状態が解放されることが抑制される。
【００１３】
また該増幅部は、該進退部と接続される箇所に該ターンテーブルの直径方向に延びる軸を回転軸として回転するネジ棒を有し、該進退部は該ネジ棒と螺合するネジ穴を有し、該ネジ棒の回転に応じて螺進退し該ベースに対して近接・離間することが好ましい。
【００１４】
この様な構成によると、簡単な構成で付勢部をベースに付勢させることができる。また進退部はネジ棒の回転に基づいて螺進退する構成であるため、進退部に直径方向の力を加えたとしても、ネジ棒が回転することはない。よって付勢部がベースを付勢する反力により、ネジ棒が回転することはなく、入力部を動作させない限り付勢部がベースを付勢する状態が解かれることは無い。
【００１５】
また該ターンテーブル固定部は、該ターンテーブルの直径方向を案内方向とする案内部を有し、該進退部と該付勢部とは、該案内部に案内されて該ベース部に対して近接・離間することが好ましい。
【００１６】
この様な構成によると、進退部と付勢部とがベースに対して近接・離間して移動する際に、移動の軌跡から進退部と付勢部とがずれることが抑制され、好適にベースを付勢することができる。
【００１７】
また該増幅部は、該入力部の動作に応じて回動する第一ギヤを含む複数のギヤの組合せから成るギヤ機構から構成されていることが好ましい。この様な構成によると、容易に入力部の動作量を増幅することができる。
【００１８】
また該ターンテーブル固定部は、該ギヤ機構を収容するハウジング部を有し、該第一ギヤは該第一ギヤの回転軸方向に延びる第一軸部に一体回動可能に固定され、該入力部は、該第一軸部に一体回動かつ該第一軸部の軸方向に移動可能に接続され、該ハウジング部には、該進退部が該ベース部に対して近接した状態の位置で該入力部が該第一軸部の軸方向に移動した時に該入力部の少なくとも一部が挿入される溝部が形成されていることが好ましい。
【００１９】
この様な構成によると、ベースに対して付勢部が付勢してベースに対してターンテーブルが固定されている状態で、入力部が動いて固定状態が解放されることが抑制される。
【発明の効果】
【００２０】
本発明の卓上切断機によれば、過多な付勢力を抑制し、かつ軽量化を図ることができる。
【発明を実施するための最良の形態】
【００２１】
本発明の第一の実施の形態について、図１乃至図７に基づき説明する。図１に示される卓上切断機である卓上切断機１は、回動機構を備えた卓上切断機であり、ベース２と、ターンテーブル３と、切断刃５を支持する切断部４と、ターンテーブル固定機構６（図３）とから主に構成されている。
【００２２】
ベース２は、被切断部材である木材を担持し、図２に示されるように、一対の左ベース２Ａと右ベース２Ｂとから構成されている。これら左ベース２Ａと右ベース２Ｂとが並んでいる方向を左右方向と定義し、ベース２の木材を載置する面の上方を上方、反対を下方と定義する。
【００２３】
図２に示されるように、左ベース２Ａと右ベース２Ｂとの間には、略弧状に構成されて左ベース２Ａと右ベース２Ｂとを連結する円弧部２１が設けられている。この円弧部２１の上面には回転角度が示された目盛りが刻まれており、外周面２１Ａ位置には、図３に示されるように中心位置を０°として、左右に所定の角度で割り振られた凹部２１ａが形成されている。また凹部２１ａが形成されている外周面２１Ａが、後述の当接部６７が当接する被当接面になる。
【００２４】
図２に示されるように左ベース２Ａ上面及び右ベース２Ｂ上面には、それぞれ左フェンス２Ｃ及び右フェンス２Ｄが設けられている。図１に示されるように、左フェンス２Ｃ及び右フェンス２Ｄの前面は同一平面上に位置するように配置されており、ターンテーブル３が０°の回動角度の位置に配置された状態で、後述の溝部３１ａ（図３）と左フェンス２Ｃ及び右フェンス２Ｄの前面とが略直交するように構成されてベース２上に載置される木材の位置を規定している。
【００２５】
ターンテーブル３は、図１に示されるように図示せぬ回動軸部を介してベース２上に担持され、図２に示されるように右ベース２Ｂと左ベース２Ａとの間に配置されている。ターンテーブル３は略円台状であって一方側で切断部４を支持するターンテーブル本体部３１と、ターンテーブル本体部３１の他方側に突出して円弧部２１の上方に配置される台部３２とから構成されている。この台部３２がターンテーブル本体部３１より突出している一方向であって左右方向と直交する方向を前方、反対を後方と定義する。
【００２６】
また、ターンテーブル３の上面には、図３に示されるようにターンテーブル本体部３１の切断部４（図１）近傍位置から台部３２にかけて一連の溝部３１ａが形成されている。この溝部３１ａは図示せぬ回動軸部上に配されており、後述の切断刃５が下方に揺動してターンテーブル３と交わった際の交線位置と同一位置にあり切断刃５の刃先を収容する箇所となっている。
【００２７】
ターンテーブル本体部３１の後端には、図２に示されるように、ターンテーブル３と切断部４とを接続する傾動軸部３３が設けられている。傾動軸部３３は、その軸がターンテーブル３の上面と同一面にあり、かつ溝部３１ａ（図３）と一致するように配置されている。
【００２８】
台部３２の先端位置には、台部３２を構成する後述のハウジング３２Ａに形成された開口部分から突出するレバー６Ａが設けられている。
【００２９】
図１に示されるように切断部４は、傾動部４１と、揺動軸部４２と、切断本体部４３とから主に構成されている。傾動部４１は、傾動軸部３３を介して左右方向に傾動可能にターンテーブル本体部３１に接続されている。傾動部４１には、ターンテーブル本体部３１と螺合しているクランプレバー４１Ｄが設けられており、クランプレバー４１Ｄを螺進させることにより、傾動部４１とターンテーブル本体部３１とを固定して、切断部４を所望の傾動角度に設定している。揺動軸部４２は、傾動部４１に支持されて、その軸が略左右方向になるように配置されている。
【００３０】
切断本体部４３は、フレーム４３Ａと、ハウジング４３Ｂと、カバー４３Ｃと、ハンドル４３Ｄと、切断刃５とを主に備えて構成されている。フレーム４３Ａは、揺動軸部４２に接続されて、傾動部４１に対して上下方向に揺動可能に構成されている。ハウジング４３Ｂは、フレーム４３Ａに接続されて、切断本体部４３の外殻を形成し、内部に図示せぬモータやギヤを内蔵している。
【００３１】
カバー４３Ｃは、切断部４が上方に位置するときは切断刃５を覆い隠し、切断部４が下方（ターンテーブル３側）に揺動された時には切断刃５を露出させるように構成されている。
【００３２】
ハンドル４３Ｄはハウジング４３Ｂの上方に設けられており、切断部４を揺動させるときの把持部となっている。ハンドル４３Ｄには図示せぬモータを駆動制御する図示せぬトリガが設けられている。
【００３３】
切断刃５は図示せぬモータにより回転駆動され、切断部４が下方に揺動された場合に、その一部が溝部３１ａ内に侵入するように配置されている。
【００３４】
ターンテーブル固定機構６は、図３に示されるように台部３２を構成するハウジング３２Ａを枠体として、ハウジング３２Ａ内に配置されており、第一ギヤ６１と、第二ギヤ６２Ａと、第三ギヤ６２Ｂと、第四ギヤ６３Ａと、第五ギヤ６３Ｂと、ネジ棒部６４と、螺進退部６５と、スプリング６６と、当接部６７と、から主に構成されている。
【００３５】
第一ギヤ６１は、ハウジング３２Ａ内において、最も前方に配置されており、図４に示されるように、左側に延びる筒状部６１Ｂを有し、この筒状部６１Ｂと共に、ハウジング３２Ａに掛け渡される第一軸部６１Ａに回転可能、かつ第一軸部６１Ａの軸方向（左右方向）に移動可能に支持されている。筒状部６１Ｂには、レバー６Ａが固定されている。よってレバー６Ａを第一位置である上部位置（図１のレバー６Ａの位置）と第二位置である下部位置（図５のレバー６Ａの位置）との間で移動させることにより、第一ギヤ６１が第一軸部６１Ａの軸心を中心に所定角度だけ回転する。
【００３６】
図３に示されるように第二ギヤ６２Ａは、第一軸部６１Ａの後方でハウジング３２Ａに掛け渡されハウジング３２Ａに対して回転可能な第二軸部６２Ｃに支持されて第一ギヤ６１と噛合している。第三ギヤ６２Ｂは第二ギヤ６２Ａと接続されており第二ギヤ６２Ａと同軸一体回転可能に第二軸部６２Ｃに支持されている。第四ギヤ６３Ａは、第二軸部６２Ｃの後方でハウジング３２Ａに掛け渡されハウジング３２Ａに対して回転可能な第三軸部６３Ｃに固定されて第三ギヤ６２Ｂと噛合している。第五ギヤ６３Ｂはベベルギヤであり第四ギヤ６３Ａと同軸一体回転可能に第三軸部６３Ｃに支持されている。これら第一ギヤ６１〜第五ギヤ６３Ｂからギヤ機構が構成され、第一ギヤ６１にレバー６Ａにより入力された回動を増幅している。
【００３７】
ネジ棒部６４は全ネジ棒６４Ａとベベルギヤ６４Ｂとから構成されている。全ネジ棒６４Ａは、その軸方向が台部３２の延出方向（ターンテーブル３の直径方向）となるように配置され、ハウジング３２Ａに固定された支持部６Ｂにより全ネジ棒６４Ａの軸回りに回転可能に支持されている。ベベルギヤ６４Ｂは、全ネジ棒６４Ａの前端部に全ネジ棒６４Ａと同軸一体回転可能に設けられており、第五ギヤ６３Ｂと噛合している。よってレバー６Ａに入力された回動が、全ネジ棒６４Ａの回転として出力される。
【００３８】
螺進退部６５は、ネジ棒部６４の後方に配置されてネジ穴６５ａが形成され、このネジ穴６５ａに全ネジ棒６４Ａが螺合している。よってネジ棒部６４が正転・反転することにより、螺進退部６５は、全ネジ棒６４Ａの軸方向に進退する。螺進退部６５はネジ棒部６４の回転に基づいて螺進退する構成であるため、螺進退部６５に全ネジ棒６４Ａの軸方向の力を加えたとしても、ネジ棒部６４が回転することはない。
【００３９】
スプリング６６は螺進退部６５の後方に接続されて配置されている。当接部６７はスプリング６６の後方に接続されて配置されており、当接部６７の後面部分に凹部２１ａと嵌合可能な凸部６７Ａが設けられている。螺進退部６５とスプリング６６と当接部６７とはいずれも接続されているため、スプリング６６と当接部６７とは螺進退部６５の螺進退に応じて全ネジ棒６４Ａの軸方向に進退する。
【００４０】
ハウジング３２Ａ内において、螺進退部６５とスプリング６６と当接部６７との側面となる部分には、ガイド部６Ｃが設けられている。ガイド部６Ｃがあることにより、螺進退部６５とスプリング６６と当接部６７とが円弧部２１に近接・離間して移動する際に、移動の軌跡からずれることが抑制される。
【００４１】
またハウジング３２Ａにおいて、図２に示されるようにハウジング３２Ａ内部から外部へレバー６Ａが突出する位置には、右方向に凹む溝部３２ａが複数設けられている。レバー６Ａを右方向へと移動させることにより、レバー６Ａの一部が溝部３２ａ内に入り、この状態においてレバー６Ａの上下動が不能になる。このレバー６Ａと溝部３２ａとからレバー６Ａを固定する固定機構が構成される。
【００４２】
上記構成の卓上切断機１において、ターンテーブル３の角度を固定する際には、先ず円弧部２１上面の目盛りを見ながらターンテーブル３を所望の角度回転させ、その後に図５に示されるようにレバー６Ａを押し下げる。レバー６Ａを押し下げることにより、第一ギヤ６１が回動すると共にこの回動が第二ギヤ６２Ａ〜第五ギヤ６３Ｂにより増幅され、ネジ棒部６４に前側から見て反時計回りの回転として伝達される。ネジ棒部６４が反時計回りに回転することにより、図６に示されるように螺進退部６５が円弧部２１に近づく方向に移動し、螺進退部６５の移動に伴いスプリング６６及び当接部６７も円弧部２１に近づくように移動し、当接部６７が外周面２１Ａに当接する。
【００４３】
ターンテーブル３の所望の角度が凹部２１ａの設けられた角度と一致する場合には、当接部６７が外周面２１Ａに当接すると共に凸部６７Ａが凹部２１ａに嵌合する。この場合においてはスプリング６６及び螺進退部６５により当接部６７に過度の付勢力を加えずとも、凸部６７Ａと凹部２１ａとの嵌合により円弧部２１に対するターンテーブル３の回動が防止される。従って過度に螺進退部６５を円弧部２１側に移動させる必要が無い。レバー６Ａを所望の位置まで押し下げた後に、図７に示されるように右方向へと移動させ、溝部３２ａにレバー６Ａの一部を挿入する。これによりレバー６Ａが上下動することが抑制され、レバー６Ａが不意に動いてターンテーブル３が固定された状態から解放されることが抑制される。
【００４４】
またターンテーブル３の所望の回転角度が凹部２１ａの設けられた角度と一致しない場合は、凸部６７Ａが外周面２１Ａと当接し、凸部６７Ａと外周面２１Ａとの間の摩擦力によりターンテーブル３を円弧部２１に対して固定する。この場合においても凸部６７Ａを含む当接部６７はスプリング６６を介して外周面２１Ａに付勢されるため、予め最適な値のバネ定数を備えたスプリング６６を用いることにより、過度の付勢力が外周面２１Ａに加えられずに、最適な付勢力で当接部６７を外周面２１Ａに付勢させることができる。最適な付勢力で円弧部２１に当接部６７が付勢されるため、円弧部２１にリブ等の補強材を加えることや、外周面２１Ａ部分を厚肉化するなどの補強をして剛性を高める必要が無くなり、これに応じて卓上切断機１を軽量化することができる。
【００４５】
また螺進退部６５は全ネジ棒６４Ａとネジ穴６５ａとの螺合に基づく螺進退により移動しているため、図６に示されるようスプリング６６が圧縮された状態でスプリング６６の反力を受けたとしても、移動することがない。よってレバー６Ａを動かさない限りはターンテーブル３が固定された状態から解放されることはなく、上述のようにレバー６Ａが溝部３２ａ内に位置していることによりレバー６Ａが上下動することもないため、確実にターンテーブル３をベース２に対して固定することができる。
【００４６】
またターンテーブル３をベース２に対して回動させる際は、レバー６Ａを上方に移動させることにより、螺進退部６５が円弧部２１Ａから遠ざかる方向に移動し、この螺進退部６５の移動に伴いスプリング６６および当接部６７も円弧部２１Ａから遠ざかる方向に移動する。この動作により当接部６７が円弧部２１Ａから離間し、ターンテーブル３をベース２に対して回動可能になる。
【００４７】
次に本発明の第二の実施の形態について、図８から図１０に基づき説明する。図８に示されるように第二の実施の形態にかかる卓上切断機１０１は、主な構成において第一の実施の形態にかかる卓上切断機１と同じであるため、異なる構成以外の説明については、第一の実施の形態の符号に１００を足してその説明を省略する。
【００４８】
卓上切断機１０１の切断部１０４において、傾動部１４１は、傾動軸部１３３に接続される傾動本体部１４１Ａと、傾動本体部１４１Ａに設けられてターンテーブル１０３の直径方向と平行な方向に延出されるスライド軸部１４１Ｃと、切断本体部１４３を支持すると共にスライド軸部１４１Ｃに移動可能に設けられてターンテーブル１０３の直径方向にスライド可能なスライド部１４１Ｂとから構成されている。この構成を採ることにより切断刃１０５がターンテーブル１０３の直径方向に移動することができ、より大きな被加工部材を切断可能になる。
【００４９】
図９に示されるように、円弧部１２１の外周面１２１Ａは、全周に渡って凹凸状に構成されている。
【００５０】
また第一の実施の形態ではターンテーブル固定機構６に入力する入力部としてレバー６Ａを用いたが、第二の実施の形態ではターンテーブル固定機構１０６に入力する入力部として、ハンドル１０６Ａが用いられている。ハンドル１０６Ａは、台部１３２の先端部分から台部１３２の延出方向と同じ方向に延出されて設けられており、ハウジング１３２Ａ内に位置する端部にはベベルギヤ１０６Ｄが設けられている。また第一ギヤ１６１は第一軸部１６１Ａに同軸一体回転可能に固定されており、第一軸部１６１Ａには、ハンドル１０６Ａのベベルギヤ１０６Ｄと噛合するベベルギヤ１６１Ｂが同軸一体回転可能に固定されている。よって、ハンドル１０６Ａの回動を第一ギヤ１６１に伝達することができる。
【００５１】
外周面１２１Ａと当接する当接部１６７には、外周面１２１Ａの凹凸形状と勘合する凸凹部１６７Ａが設けられている。
【００５２】
ターンテーブル１０３をベース１０２に固定する際には、ハンドル１０６Ａを半周程度回転させ、第一ギヤ１６１を回動させる。この第一ギヤ１６１の回動が増幅されて、ネジ棒部１６４に伝達され、ネジ棒部１６４に螺合する螺進退部１６５が円弧部１２１側へと移動し、スプリング１６６を介して当接部１６７を付勢し、外周面１２１Ａに凸凹部１６７Ａが当接する（図１０）。この時に外周面１２１Ａは凸凹部１６７Ａと嵌合する凹凸形状であるため、当接部１６７に過度の付勢力を与えずとも、ベース１０２に対するターンテーブル１０３の回転を抑制することができる。よって当該第二の実施の形態に係る卓上切断機１０１においても、円弧部１２１を高剛性に構成する必要はなく、軽量化を図ることができる。
【図面の簡単な説明】
【００５３】
【図１】本発明の第一の実施の形態に係る卓上切断機の側面図。
【図２】本発明の第一の実施の形態に係る卓上切断機のベース及びターンテーブルに係る部分正面図。
【図３】本発明の第一の実施の形態に係る卓上切断機の台部に係る部分平面断面図。
【図４】図３のIV−IV線に沿った断面図。
【図５】本発明の第一の実施の形態に係る卓上切断機のターンテーブルをベースに固定した状態での側面図。
【図６】本発明の第一の実施の形態に係る卓上切断機のターンテーブルをベースに固定した状態での台部に係る部分平面断面図。
【図７】本発明の第一の実施の形態に係る卓上切断機のターンテーブルをベースに固定した状態でのベース及びターンテーブルに係る部分正面図。
【図８】本発明の第二の実施の形態に係る卓上切断機の側面図。
【図９】本発明の第二の実施の形態に係る卓上切断機の台部に係る部分平面断面図。
【図１０】本発明の第二の実施の形態に係る卓上切断機のターンテーブルをベースに固定した状態での台部に係る部分平面断面図。
【符号の説明】
【００５４】
１・・卓上切断機  ２・・ベース  ２Ａ・・左ベース  ２Ｂ・・右ベース  
２Ｃ・・左フェンス  ２Ｄ・・右フェンス  ３・・ターンテーブル  ４・・切断部
５・・切断刃  ６・・ターンテーブル固定機構  ６Ａ・・レバー  ６Ｂ・・支持部
６Ｃ・・ガイド部  ２１・・円弧部  ２１Ａ・・外周面  ２１ａ・・凹部
２４・・回動軸部  ３１・・ターンテーブル本体部  ３１ａ・・溝部  ３２・・台部
３２Ａ・・ハウジング  ３２ａ・・溝部  ３３・・傾動軸部  ４１・・傾動部
４１Ｄ・・クランプレバー  ４２・・揺動軸部  ４３・・切断本体部
４３Ａ・・フレーム  ４３Ｂ・・ハウジング  ４３Ｃ・・カバー  ４３Ｄ・・ハンドル
６１・・第一ギヤ  ６１Ａ・・第一軸部  ６１Ｂ・・筒状部  ６２Ａ・・第二ギヤ
６２Ｂ・・第三ギヤ  ６２Ｃ・・第二軸部  ６３Ａ・・第四ギヤ  ６３Ｂ・・第五ギヤ
６３Ｃ・・第三軸部  ６４・・ネジ棒部  ６４Ａ・・全ネジ棒  ６４Ｂ・・ベベルギヤ
６５・・螺進退部  ６５ａ・・ネジ穴  ６６・・スプリング  ６７・・当接部
６７Ａ・・凸部
【図１】
2010036270.tif 000003
【図２】
2010036270.tif 000004
【図３】
2010036270.tif 000005
【図４】
2010036270.tif 000006
【図５】
2010036270.tif 000007
【図６】
2010036270.tif 000008
【図７】
2010036270.tif 000009
【図８】
2010036270.tif 000010
【図９】
2010036270.tif 000011
【図１０】
2010036270.tif 000012